(57)【要約】【課題】テレビジョン放送用信号にサブ信号が含まれているか否かを正確に判定することができる装置を提供する。【解決手段】サブ信号の存在の有無を示すサブ判定信号を出力するサブ信号検出部１２と、キュー信号の存在の有無を示すキュー判定信号を出力するキュー信号検出部１４と、キュー判定信号を遅延させる遅延回路部１６と、サブ判定信号と、遅延回路部１６で遅延されたキュー判定信号と、の論理積を出力するアンド回路部１８と、を備える。【選択図】図１
2009017391.tif 000002
【特許請求の範囲】
【請求項１】
ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、
前記サブ信号の存在の有無を示すサブ判定信号を出力するサブ信号検出部と、
前記キュー信号の存在の有無を示すキュー判定信号を出力するキュー信号検出部と、
前記キュー判定信号を遅延させる遅延回路部と、
前記サブ判定信号と、前記遅延回路部で遅延された前記キュー判定信号と、の論理積を出力するアンド回路部と、
を備えることを特徴とする信号処理装置。
【請求項２】
請求項１に記載の信号処理装置であって、
前記遅延回路部で前記キュー判定信号を１ミリ秒以上１０ミリ秒以下の範囲で遅延させることを特徴とする信号処理装置。
【請求項３】
ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、
前記サブ信号の存在の有無を示すサブ判定信号を出力するサブ信号検出部と、
前記キュー信号の存在の有無を示すキュー判定信号を出力するキュー信号検出部と、
前記サブ判定信号を遅延させる遅延回路部と、
前記遅延回路部で遅延された前記サブ判定信号と、前記キュー判定信号と、の論理積を出力するアンド回路部と、
を備えることを特徴とする信号処理装置。
【請求項４】
請求項３に記載の信号処理装置であって、
前記遅延回路部で前記サブ判定信号を１ミリ秒以上１０ミリ秒以下の範囲で遅延させることを特徴とする信号処理装置。
【請求項５】
請求項１〜４のいずれか１つに記載の信号処理装置であって、
前記遅延回路部は、積分回路と、前記積分回路の出力を所定の基準電圧と比較する比較回路と、を含むことを特徴とする信号処理装置。
【発明の詳細な説明】
【技術分野】
【０００１】
本発明は、音声多重放送信号の信号処理装置に関する。
【背景技術】
【０００２】
テレビジョン放送（ＴＶ）の復調用回路では、図５に示すように、モノラル音声を含むメイン信号、ステレオ音声信号（ＳＴ信号）又はバイリンガル音声信号（ＢＩ信号）を含むサブ信号、及び、サブ信号がＳＴ信号であるのかＢＩ信号であるのかを示すキュー信号を含む受信信号を復調する処理が行われる（例えば、特許文献１等）。
【０００３】
テレビジョン放送では、テレビジョン放送用信号にサブ信号が含まれている場合にはステレオ音声また２カ国語音声として判別し、サブ信号が含まれていない場合にはモノラル音声として判別して処理を行っている。
【０００４】
例えば、図６に示すように、テレビジョン放送用信号のサブ信号に該当する周波数帯に信号が存在するか否かを示すサブ判別信号と、テレビジョン放送用信号のキュー信号に該当する周波数帯に信号が存在するか否かを示すキュー判別信号と、の論理積を算出することによってサブ信号がテレビジョン放送用信号に含まれているか否かを判定する回路が知られている。サブ判別信号は、ハイレベルの場合にサブ信号が含まれており、ローレベルの場合にサブ信号が含まれていないことを示す。また、キュー判別信号は、ハイレベルの場合にキュー信号が含まれており、ローレベルの場合にキュー信号が含まれていないことを示す。そうすると、サブ信号及びキュー信号の両方が共に含まれている場合のみ信号処理装置の出力がハイレベルとなり、この場合にテレビジョン放送用信号にサブ信号が含まれているものとして処理する。サブ信号又はキュー信号のいずれかのみがハイレベルの場合、それはノイズ等によるものとしてテレビジョン放送用信号にはサブ信号が含まれていないものとして処理する。
【０００５】
【特許文献１】特開２００７−０９７０５６号公報
【発明の開示】
【発明が解決しようとする課題】
【０００６】
ところが、テレビジョン放送用信号に含まれるサブ信号の周波数帯及びキュー信号の周波数帯には同時にノイズが重畳してしまう場合がある。このような場合、図６に示すように、実際にはテレビジョン放送用信号にサブ信号が含まれていない場合でもノイズの影響により信号処理装置の出力がハイレベルとなり、テレビジョン放送用信号にサブ信号が含まれているものとして誤った処理が施されるおそれがある。
【課題を解決するための手段】
【０００７】
本発明の１つの態様は、ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、前記サブ信号の存在の有無を示すサブ判定信号を出力するサブ信号検出部と、前記キュー信号の存在の有無を示すキュー判定信号を出力するキュー信号検出部と、前記キュー判定信号を遅延させる遅延回路部と、前記サブ判定信号と、前記遅延回路部で遅延された前記キュー判定信号と、の論理積を出力するアンド回路部と、を備えることを特徴とする信号処理装置である。
【０００８】
本発明の別の態様は、ステレオ音声信号又はバイリンガル音声信号を含むサブ信号と、サブ信号がステレオ音声信号又はバイリンガル音声信号かを示すキュー信号と、を含むテレビジョン放送用信号を処理する信号処理装置であって、前記サブ信号の存在の有無を示すサブ判定信号を出力するサブ信号検出部と、前記キュー信号の存在の有無を示すキュー判定信号を出力するキュー信号検出部と、前記サブ判定信号を遅延させる遅延回路部と、前記遅延回路部で遅延された前記サブ判定信号と、前記キュー判定信号と、の論理積を出力するアンド回路部と、を備えることを特徴とする信号処理装置である。
【０００９】
いずれの態様においても、ノイズの影響を抑えて、テレビジョン放送用信号にサブ信号が含まれているか否かをより正確に判定することを可能にする。
【００１０】
ここで、前記遅延回路部で前記サブ判定信号又は前記キュー判定信号を１ミリ秒以上１０ミリ秒以下の範囲で遅延させることが好適である。実際のテレビジョン放送用信号では、前記サブ信号及び前記キュー信号の周波数帯域では１ミリ秒以上１０ミリ秒以下の時間幅を有するノイズが重畳し易いので、このような遅延時間に設定することでより正確な信号処理が可能となる。
【００１１】
具体的には、前記遅延回路部は、積分回路と、前記積分回路の出力を所定の基準電圧と比較する比較回路と、を含むものとしてもよい。
【発明の効果】
【００１２】
本発明によれば、テレビジョン放送用信号にサブ信号が含まれているか否かを正確に判定することができる。
【発明を実施するための最良の形態】
【００１３】
本発明の実施の形態におけるテレビジョン放送用信号の信号処理装置１００は、図１に示すように、受信部１０、サブ信号検出部１２、キュー信号検出部１４、遅延回路部１６及びアンド回路１８を含んで構成される。
【００１４】
受信部１０は、アンテナ、検波回路、増幅回路等を含んで構成される。受信部１０は、テレビジョン放送用信号を受信しサブ信号検出部１２及びキュー信号検出部１４へ出力する。
【００１５】
サブ信号検出部１２は、受信部１０で受信されたテレビジョン放送用信号にサブ信号が含まれているか否かを検出してサブ判定信号を出力する。テレビジョン放送用信号には、図５に示すように、３１．４６８ｋＨｚを中心周波数としてステレオ放送では±２０ｋＨｚ、バイリンガル放送では±１５ｋＨｚの周波数帯域を有するサブ信号が重畳される。そこで、サブ信号検出部１２は、これらの周波数帯域内において所定の強度以上の信号が含まれているか否かを調査し、所定の強度以上の信号が存在すればテレビジョン放送用信号にサブ信号が含まれているとしてサブ判定信号をハイレベルに変更し、所定の強度以上の信号が存在していなければテレビジョン放送用信号にサブ信号が含まれていないとしてサブ判定信号をローレベルに変更する。サブ信号検出部１２の出力はアンド回路１８へ入力される。
【００１６】
キュー信号検出部１４は、受信部１０で受信されたテレビジョン放送用信号にキュー信号が含まれているか否かを検出してキュー判定信号を出力する。テレビジョン放送用信号には、図５に示すように、５５．０６９ｋＨｚを中心周波数としてステレオ放送では９８２．５Ｈｚの信号でＡＭ変調され、バイリンガル放送では９２２．５Ｈｚの信号でＡＭ変調されたキュー信号が重畳される。そこで、キュー信号検出部１４は、これらの周波数帯域において所定の強度以上の信号が含まれているか否かを調査し、所定の強度以上の信号が存在すればテレビジョン放送用信号にキュー信号が含まれているとしてキュー判定信号をハイレベルに変更し、所定の強度以上の信号が存在していなければテレビジョン放送用信号にキュー信号が含まれていないとしてキュー判定信号をローレベルに変更する。キュー信号検出部１４のキュー判定信号は遅延回路部１６に入力される。
【００１７】
受信部１０からサブ信号検出部１２及びキュー信号検出部１４には同時に信号が入力されるので、サブ信号検出部１２及びキュー信号検出部１４内での遅延が同程度であるとすると、テレビジョン放送用信号にステレオ音声信号又はバイリンガル音声信号が重畳されている場合には、図２に示すように、サブ判定信号及びキュー判定信号は同時に変化することとなる。なお、図２の横軸は時間、縦軸は信号の強度を示している。
【００１８】
また、テレビジョン放送用信号のサブ信号及びキュー信号の両方の周波数帯域に影響するようなノイズが重畳した場合、図３に示すように、サブ判定信号及びキュー判定信号はノイズの影響を示すパルス状の変化を同時に示すことになる。なお、図３の横軸は時間、縦軸は信号の強度を示している。
【００１９】
遅延回路部１６は、キュー判定信号を受けて、キュー判定信号を所定の遅延時間Ｔｄだけ遅延させて出力する。所定の遅延時間Ｔｄは、１ミリ秒以上１０ミリ秒以下とすることが好適である。
【００２０】
遅延回路部１６は、図４に示すように、バッファ２０、抵抗２２、コンデンサ２４、バッファ２６及びコンパレータ２８を含む回路構成とすることができる。入力端からキュー判定信号を受けると、積分型フィルタを構成する抵抗２２及びコンデンサ２４によりキュー判定信号が積分され、バッファ２６を介してコンパレータ２８の非反転入力端子に入力される。コンパレータ２８の反転入力端子には基準電圧Ｖｒｅｆが印加されており、コンデンサ２４の端子電圧が基準電圧Ｖｒｅｆ以上になるとコンパレータ２８の出力がハイレベルとなり、コンデンサ２４の端子電圧が基準電圧Ｖｒｅｆより小さければコンパレータ２８の出力がローレベルとなる。抵抗２２の抵抗値とコンデンサ２４の容量値の組み合わせにより遅延時間Ｔｄを調整することができる。
【００２１】
アンド回路１８は、サブ信号検出部１２からサブ判定信号と、遅延回路部１６から遅延されたキュー判定信号と、を受けて、サブ判定信号と遅延されたキュー判定信号との論理積を算出して出力する。
【００２２】
このとき、アンド回路１８からの出力は、図２に示すように、遅延時間Ｔｄだけキュー判定信号から遅延時間Ｔｄだけ遅れて立ち上がる遅延回路部１６の出力信号の立ち上がりから、キュー判定信号と同時に立ち下がるサブ判定信号の立ち下がりまで、の時間だけハイレベルとなる。このアンド回路１８の出力信号の立ち上がりをサブ信号の処理開始のトリガとして用いることによって、テレビジョン放送用信号に重畳されているステレオ音声やバイリンガル音声の再生を適切なタイミングで開始することができる。このとき、所定の遅延時間Ｔｄを１ミリ秒以上１０ミリ秒以下とすることによって、ステレオ音声やバイリンガル音声の再生に実質的な遅れを感じさせることなくサブ信号の処理を行うことができる。
【００２３】
また、サブ信号及びキュー信号の両方の周波数帯域に影響するようなノイズが重畳した場合、図３に示すように、遅延回路部１６からの出力に重畳されているノイズと、サブ判定信号に重畳されているノイズと、の時間的な重なりがなくなるので、アンド回路１８からの出力はノイズの影響を受けることがなくなる。このとき、実際のテレビジョン放送用信号では、サブ信号及び前記キュー信号の周波数帯域では１ミリ秒以上１０ミリ秒以下の時間幅を有するノイズが重畳し易いので、遅延時間Ｔｄをノイズの継続時間以上に設定することによってノイズの影響を避けてより正確な信号処理が可能となる。
【００２４】
なお、本実施の形態では、キュー信号検出部１４の後段に遅延回路部１６を設けてキュー判定信号を遅延させる構成としたが、代りに、サブ信号検出部１２の後段に遅延回路部１６を設けてサブ判定信号を遅延させる構成としてもよい。すなわち、キュー判定信号又はサブ判定信号のいずれか一方を遅延させることによって、本実施の形態と同様の効果を得ることができる。
【図面の簡単な説明】
【００２５】
【図１】本発明の実施の形態における信号処理装置の構成を示すブロック図である。
【図２】本発明の実施の形態における信号処理装置の信号処理を説明するチャートである。
【図３】本発明の実施の形態における信号処理装置のノイズ処理を説明するチャートである。
【図４】本発明の実施の形態における遅延回路部の構成例を示すブロック図である。
【図５】テレビジョン放送用信号の周波数構成を示す図である。
【図６】背景技術における信号処理を説明するチャートである。
【符号の説明】
【００２６】
１０  受信部、１２  サブ信号検出部、１４  キュー信号検出部、１６  遅延回路部、１８  アンド回路、２０  バッファ、２２  抵抗、２４  コンデンサ、２６  バッファ、２８  コンパレータ、１００  信号処理装置。
【図１】
2009017391.tif 000003
【図２】
2009017391.tif 000004
【図３】
2009017391.tif 000005
【図４】
2009017391.tif 000006
【図５】
2009017391.tif 000007
【図６】
2009017391.tif 000008